(57)【要約】      （修正有）【課題】印刷開始後、後処理の設定を忘れた場合において、印刷物全体に要する時間が長時間化するのを回避し、生産性を向上させる画像形成装置を提供する。【解決手段】複数の印刷媒体に対して画像形成を行うインクヘッド１１０ａと、画像形成がなされた複数の印刷媒体に対して所定の後処理を行う後処理装置２００とを備えた画像形成装置であって、複数の印刷媒体のうち有効に画像形成が完了した印刷媒体を判定する完了判定部３１４ｃと、この判定結果に基づく操作情報をユーザに通知する通知部３１７と、ユーザ操作に基づいて後処理を変更する旨の操作信号を受け付ける操作信号取得部３１３と、操作信号取得部３１３が受け付けた操作信号と、完了判定部３１４ｃによる判定結果とに基づいて、インクヘッド１１０ａにおける画像形成を実行するか否かを決定する後処理制御部３１４ｂとを備える。【選択図】図２
2016210033.tif 000002
【特許請求の範囲】
【請求項１】
搬送経路上を搬送される複数の印刷媒体に対して画像形成を行う画像形成部と、前記画像形成がなされた複数の印刷媒体に対して所定の後処理を行う後処理部とを備えた画像形成装置であって、
ユーザから画像形成処理を中断する旨の中断指示を受けると、前記複数の印刷媒体のうち、有効に画像形成が完了した印刷媒体を判定する完了判定部と、
ユーザ操作に基づいて、前記後処理の設定を変更する旨の操作信号を受け付ける操作信号取得部と、
ユーザからの再開指示を受け付ける再開指示取得部と、
前記再開指示取得部がユーザからの再開指示を受け付けると、前記完了判定部による判定結果に基づいて、前記画像形成部の直下を搬送される印刷媒体に対して画像形成を実行するか否かを決定し、この決定にしたがって処理された後に前記後処理部に到達した印刷媒体に対して、前記操作信号取得部が受け付けた前記操作信号に応じた後処理を前記後処理部に実行させる後処理制御部と
を備えたことを特徴とする画像形成装置。
【請求項２】
前記搬送経路では、
片面印刷時には画像が形成された面が下側になるように前記印刷媒体を前記後処理部へ通紙し、
両面印刷時には片面に画像形成された印刷媒体を、搬送経路上で反転させ、画像形成部へ再度搬送して画像を形成し、最後に画像が形成された面が下側になるように当該両面印刷に係る印刷媒体を前記後処理部へ通紙し、
前記後処理制御部は、有効に画像形成が完了したと前記完了判定部が判定した印刷媒体については画像形成を行うことなく前記片面印刷時と同様の通紙を行わせることを特徴とする請求項１に記載の画像形成装置。
【請求項３】
前記搬送経路において前記画像形成部よりも上流側に接続され、積載された給紙に係る印刷媒体を表裏反転させて前記搬送経路に給紙する給紙経路をさらに備え、
前記搬送経路では、
片面印刷時には画像が形成された面が上側になるように前記印刷媒体を前記後処理部へ通紙し、
両面印刷時には片面に画像形成された印刷媒体を、搬送経路上で反転させ、画像形成部へ再度搬送して画像を形成し、最後に画像が形成された面が上側になるように当該両面印刷に係る印刷媒体を前記後処理部へ通紙し、
前記後処理制御部は、有効に画像形成が完了したと前記完了判定部が判定した印刷媒体については、前記給紙経路を通じて給紙させるとともに、前記画像形成を行うことなく前記片面印刷時と同様の通紙を行わせる
ことを特徴とする請求項１に記載の画像形成装置。
【発明の詳細な説明】
【技術分野】
【０００１】
本発明は、印刷開始後に後処理の設定を変更したい場合においても、印刷物全体に要する時間が長時間化するのを回避し、生産性を向上させる画像形成装置に関する。
【背景技術】
【０００２】
従来、複写機等の画像形成装置は、記録紙に所定の原稿画像を形成した後、さらにこの記録紙に対して、自動的にステープル処理やパンチ処理等の後処理（フィニッシング処理）を施すための後処理装置を備えたものがある。このような後処理装置による後処理は、画像形成動作の終了後に引き続いて実行される処理であるため、印刷開始時に予め設定する必要がある。そのため、当該後処理の設定を忘れていたり誤っていた場合には、即座に対応することができず、画像形成装置によって出力（排出）された印刷用紙に対してユーザが自らステープル止めやパンチ穴を開けるといった処理を行わなければならず、その操作が煩雑であるという問題があった。
【０００３】
このような問題を解決すべく、例えば、特許文献１がある。特許文献１に開示された技術では、印刷手段まで搬送されてきた印刷用紙に対し、原稿画像を印刷せずに該印刷手段を通過させる通過モードを設定する設定手段とを備え、設定手段によって通過モードが設定されると、印刷手段は、搬送されてきた印刷用紙に対して原稿画像の印刷を行わず、後処理手段は、原稿画像が印刷されなかった印刷用紙に対して所定の後処理を行うものである。このような特許文献１によれば、後処理の設定を忘れた後でも、自動で後処理を施すことが可能となる。
【先行技術文献】
【特許文献】
【０００４】
【特許文献１】特開２００５−０３１３０６号公報
【発明の概要】
【発明が解決しようとする課題】
【０００５】
しかしながら、特許文献１に開示された技術は、全ページに対する印刷が完了している印刷用紙を用いることを前提としている。そのため、ユーザが印刷処理中に後処理の設定を忘れていたことに気付いたとしても、印刷の完了を待った後に後処理を行う必要があり、その結果、印刷物全体に要する時間が長時間化し、生産性が低下するという問題がある。
【０００６】
また、生産性を確保するために、途中で印刷処理を停止させても良いが、ただ単に実行中の処理を停止させた後に新たな処理を開始させるだけでは、それまでに正常に印刷処理がなされた印刷用紙が無駄になってしまう。
【０００７】
本発明は、上記課題に鑑みてなされたものであり、印刷開始後に後処理の設定を変更したい場合においても、印刷物全体に要する時間が長時間化するのを回避し、生産性を向上させることができる画像形成装置を提供することを目的とする。
【課題を解決するための手段】
【０００８】
上記目的を達成するため、本発明に係る画像形成装置の第１の特徴は、搬送経路上を搬送される複数の印刷媒体に対して画像形成を行う画像形成部と、前記画像形成がなされた複数の印刷媒体に対して所定の後処理を行う後処理装置とを備えた画像形成装置であって、ユーザから画像形成処理を中断する旨の中断指示を受けると、前記複数の印刷媒体のうち、有効に画像形成が完了した印刷媒体を判定する完了判定部と、ユーザ操作に基づいて、前記後処理の設定を変更する旨の操作信号を受け付ける操作信号取得部と、ユーザからの再開指示を受け付ける再開指示取得部と、前記再開指示取得部がユーザからの再開指示を受け付けると、前記完了判定部による判定結果に基づいて、前記画像形成部の直下を搬送される印刷媒体に対して画像形成を実行するか否かを決定し、この決定にしたがって処理された後に前記後処理部に到達した印刷媒体に対して、前記操作信号取得部が受け付けた前記操作信号に応じた後処理を前記後処理部に実行させる後処理制御部とを備えることにある。
【０００９】
ここで、本発明における「有効に画像形成が完了した印刷媒体」とは、再度の画像形成が不要な印刷媒体を意味し、片面印刷であるか両面印刷か、さらには画像形成装置が後処理変更後に搬送経路（スケジューリング）を変更する機能を有するか否かに応じて、片面のみの画像形成を有効とするか、両面の画像形成が完了されていることをもって有効とするかを適宜設定することができる。例えば、搬送経路上に印刷媒体を複数枚同時に搬送し、反転経路に印刷媒体を分岐させて反転させて、再度搬送経路上の印刷媒体に割り込ませるようなスケジューリングを行う機種において、両面印刷の途中で後処理を変更する場合に、後処理変更後に再セットされた印刷媒体について、中断されたときと同様のスケジューリングをそのまま行うのか、反転経路への分岐を省略して直接後処理装置へ搬送するようなスケジューリングに変更するのかによって、「有効に画像形成が完了した印刷媒体」とするか否かの判定方法が異なることとなる。
【００１０】
本発明に係る画像形成装置の第２の特徴は、前記搬送経路では、片面印刷時には画像が形成された面が下側になるように前記印刷媒体を前記後処理部へ通紙し、両面印刷時には片面に画像形成された印刷媒体を、搬送経路上で反転させ、画像形成部へ再度搬送して画像を形成し、最後に画像が形成された面が下側になるように当該両面印刷に係る印刷媒体を前記後処理部へ通紙し、前記後処理制御部は、有効に画像形成が完了したと前記完了判定部が判定した印刷媒体については画像形成を行うことなく前記片面印刷時と同様の通紙を行わせることにある。
【００１１】
本発明に係る画像形成装置の第３の特徴は、前記搬送経路において前記画像形成部よりも上流側に接続され、積載された給紙に係る印刷媒体を表裏反転させて前記搬送経路に給紙する給紙経路をさらに備え、前記搬送経路では、片面印刷時には画像が形成された面が上側になるように前記印刷媒体を前記後処理部へ通紙し、両面印刷時には片面に画像形成された印刷媒体を、搬送経路上で反転させ、画像形成部へ再度搬送して画像を形成し、最後に画像が形成された面が上側になるように当該両面印刷に係る印刷媒体を前記後処理部へ通紙し、前記後処理制御部は、有効に画像形成が完了したと前記完了判定部が判定した印刷媒体については、前記給紙経路を通じて給紙させるとともに、前記画像形成を行うことなく前記片面印刷時と同様の通紙を行わせることにある。
【発明の効果】
【００１２】
本発明に係る画像形成装置の第１の特徴によれば、後処理制御部が、操作信号取得部が受け付けた操作信号と、完了判定部による判定結果とに基づいて、画像形成部直下を搬送される印刷媒体に対して画像形成を実行するか否かを決定するので、印刷開始後に後処理の設定を変更したい場合においても、印刷物全体に要する時間が長時間化するのを回避し、生産性を向上させることができる。
【００１３】
例えば、ユーザが後処理の設定を忘れたまま印刷を開始してしまい後処理の設定を追加したくなった場合や、印刷の実行過程で気が変わり後処理内容を別な設定のものに変えたくなった場合など、印刷処理の開始後に後処理を変更したい場合に、既に有効な画像形成が完了した印刷媒体を再セットして、再度搬送経路に供給することにより、後処理制御部によって既に画像形成が完了した印刷媒体に対する画像形成を実行せずに省略することができる。すなわち、本発明によれば、印刷処理の開始後に後処理を変更したい場合に、印刷処理を中断して、ユーザが複数の印刷媒体に亘る印刷ジョブの中断で発生する印画済みの印刷媒体を給紙トレイに再セットし、ジョブの再開を指示することで、印刷済みの印刷媒体には画像形成が行われずに搬送のみされて後処理変更動作が実行され、また、印刷済みでない印刷媒体に対しては印刷処理が行われつつ、後処理変更動作が実行される。
【００１４】
このような本発明によれば、印刷の実行過程で後処理を追加したい場合でも、印刷の完了を待つことなく、即時に後処理を追加させた処理を実行させることができるため、印刷物全体に要する時間が長時間化するのを回避し、生産性が向上される。また、このような本実施形態によれば、後処理を設定した後、異なる後処理に変更する場合でも適用可能であるため、変更前の後処理で済みの破棄する印刷媒体の量を低減させることもできる。
【００１５】
本発明に係る画像形成装置の第２の特徴によれば、例えば、画像形成装置が所謂インターリーフ方式のように、裏面を印刷するために印刷媒体を反転させる間に、他の印刷媒体を印刷するなどの複雑な搬送経路を備えている場合であっても、画像形成を再開する際に既に印刷が完了している印刷媒体については、当初の印刷設定が片面／両面のいずれであるかを問わず、片面印刷と同様の比較的単純な搬送経路上を搬送するだけで（画像形成を行わず、かつ、反転経路を通さずに）後処理部へと導出する。これにより、適切に、素早くジョブを処理することができる。
【００１６】
本発明に係る画像形成装置の第３の特徴によれば、例えば、画像形成装置が、ジョブデータが降順で印刷されて、且つ最後に印刷された面が上側となって排紙されるいわゆるフェイスアップ方式の搬送経路を備えている場合であっても、印刷開始後に後処理の設定を変更し画像形成を再開する際、既に印刷が完了している印刷媒体の束を上下引っ繰り返して再給紙することで、既に画像形成が完了した印刷媒体に対する画像形成を実行せずに省略でき、さらには、反転経路を使用しないことから、印刷物全体に要する時間が長時間化するのを回避して、生産性を向上させることができる。
【図面の簡単な説明】
【００１７】
【図１】本発明の実施の形態に係る画像形成装置の概略構成図である。
【図２】実施形態に係る演算処理部の機能モジュールを示すブロック図である。
【図３】実施形態に係る後処理変更機能の動作を示すフローチャートである。
【図４】実施形態に係る後処理変更機能の動作を示すフローチャートである。
【図５】実施形態に係る操作パネルの後処理変更機能に関する画面構成を示す説明図である。
【図６】本発明をフェイスアップトレイに適用した場合の動作例を示す説明図である。
【図７】本発明をフェイスアップトレイに適用した場合の他の動作例を示す説明図である。
【発明を実施するための形態】
【００１８】
＜画像形成装置の全体構成＞
以下、本発明の実施形態を、図面を参照しながら詳細に説明する。
【００１９】
図１は、本実施形態に係る画像形成装置１００の概略構成図である。本実施形態では、画像形成装置１００は、多数のノズルが形成されたインクジェットヘッドを複数備え、それぞれのインクジェットヘッドから黒又はカラーインクを吐出してライン単位で印刷を行い、搬送ベルト上の印刷媒体表面に複数の画像を互いに重なり合うように形成するインクジェット方式のラインカラープリンタを例に説明する。
【００２０】
図１に示すように画像形成装置１００は、環状の搬送経路上を搬送される印刷媒体表面に画像を形成する装置であり、搬送経路は、印刷媒体を供給する給紙系搬送路ＦＲと、この給紙系搬送路ＦＲからヘッドユニット１１０を経て排紙経路ＤＲへ至る通常経路ＣＲと、通常経路ＣＲに分岐接続された反転経路ＳＲとから概略構成されている。
【００２１】
給紙系搬送路ＦＲにおいて、サイド給紙トレイ１２０、給紙トレイ１３０（１３０ａ、１３０ｂ、１３０ｃ、１３０ｄ）のいずれかの給紙機構から給紙された印刷媒体は、印刷媒体の先頭部分の基準位置であるレジスト部Ｒに導かれる。レジスト部Ｒの搬送方向側には、複数の印字ヘッドを備えたヘッドユニット１１０が設けられており、印刷媒体は、ヘッドユニット１１０の対向面に設けられたプラテンベルト１６０によって印刷条件により定められる速度で搬送されながら、各印字ヘッドから吐出されたインクによりライン単位で画像形成される。
【００２２】
プラテンベルト１６０は、通常経路ＣＲにおいて、ヘッドユニット１１０に対向する面の前端及び後端に配設された駆動ローラ１６２及び従動ローラ１６１に掛け渡されて回転移動する。また、プラテンベルト１６０の上面には、そのベルト移動方向に沿って、４色のインクジェットヘッド１１０ａが並べて配置され、複数の画像を互いに重なり合うようにしてカラー画像を形成するヘッドユニット１１０が対向配置されている。
【００２３】
そして、印刷済みの印刷媒体は、さらに、ローラ等の駆動機構によって通常経路ＣＲ上を搬送される。このとき、印刷媒体の片側の面のみに印刷を行う片面印刷の場合は、印刷がされた面が下側になるように印刷媒体を後処理装置２００へ通紙する。詳しくは、片面印刷の場合、画像形成が完了した記録媒体は、そのまま排紙経路ＤＲ、及び後処理装置２００を経て、排紙口１４０に導かれて排紙され、排紙口１４０の受台として設けられた排紙台１５０に印刷面を下にして積載されていく。ここで排紙台１５０は、排出される直前にヘッドユニット１１０と対向した面が下を向くように印刷媒体が排出され積載される、いわゆるフェイスダウン方式の排紙台である。
【００２４】
また、フェイスダウン方式の排紙台が搭載された装置にて印刷媒体の両面に印刷を行う両面印刷の場合は、片面が印刷された用紙を、搬送経路上で反転させ、画像形成部へ再度搬送して印刷を行い、最後に画像が形成された面が下側になるように後処理装置２００まで搬送する。詳しくは、両面印刷の場合は、印刷終了時には排紙経路ＤＲ側に導かれずに、さらに筐体内を搬送され、反転経路ＳＲに送出される。この排紙経路ＤＲと反転経路ＳＲとの分岐点には、裏面印刷用に搬送路を切り替えるための切替機構１７０が設けられており、切替機構１７０によって排出経路へ送出されなかった印刷媒体は、反転経路ＳＲに引き込まれる。
【００２５】
この反転経路ＳＲでは、通常経路ＣＲから用紙が受け渡され、用紙を往復させることにより用紙の表裏を反転させる、いわゆるスイッチバックを行う。そして、ローラ等の駆動機構によって、切替機構１７２を経由して通常経路ＣＲに戻され、レジスト部Ｒを経て再給紙され、表面と同様の手順によって裏面の印刷が行われる。
【００２６】
本実施形態において、画像形成装置１００には、排紙経路ＤＲと排紙口１４０の間に後処理装置２００が設けられている。後処理装置２００は、印刷後の用紙に対して所定の後処理を行う装置であり、画像形成装置１００に対して着脱可能となっている。この後処理装置２００としては、印刷された印刷媒体を束ねて所定の位置にステープルして冊子を生成するステープル機能、及び用紙の所定の位置に穴を開けるパンチ機能とを有するステープル／パンチ機能、印刷された内容物が封筒に入るように折りたたみ、接着剤で封筒のフラップ（のりしろ部分）を接着させることにより、封筒に内包するように封緘する封入封緘機能、印刷された印刷媒体を束ねて背表紙を貼り付けるなどの包み製本機能など各種機能を有する後処理装置を用いることができる。この後処理装置２００には、所定の後処理を実行するための後処理駆動手段が備えられており、この後処理駆動手段は、演算処理部３００の後処理制御部３１４ｂにより制御される。
【００２７】
なお、ここでは、排紙経路ＤＲと排紙口１４０の間に後処理装置２００を配置させたが、本発明は、これに限定するものではなく、例えば、ヘッドユニット１１０の下流側において、通常経路ＣＲから分岐された連絡経路を設け、この連絡経路と接続する後処理装置を画像形成装置１００に隣接して配置させてもよい。
【００２８】
また、画像形成装置１００の各搬送経路には、搬送センサが複数個配置され、各搬送経路における搬送障害（ジャム）を検出できるようになっている。すなわち、各搬送センサは、印刷媒体の有無又は印刷媒体の先端を検出するセンサであり、例えば、搬送経路上に複数の搬送センサを適当な間隔で並べ、給紙側に設けられた搬送センサが印刷媒体を検出してから所定時間内に搬送方向側の搬送センサが印刷媒体を検出しない場合に、搬送ジャムが発生したと判定することができる。
【００２９】
また、画像形成装置１００のヘッドユニット１１０の上流には、搬送される用紙の画像を読み取り、画像の先端を検知する画像読取装置２０２が設けられている。この画像読取装置としては、例えば、印字された感熱紙の原稿に光をあて、その光の強弱をＣＭＯＳ撮像素子などのイメージセンサを使って検出するＣＩＳ（Contact Image Sensor）方式を用いることができる。
【００３０】
画像形成装置１００には、演算処理部３００が備えられている。この演算処理部３００は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、プログラムを適宜読み込んで実行することにより種々の機能モジュールを仮想的に構築し、構築された各機能モジュールによって、画像データに関する処理や、各部の動作制御、ユーザ操作に対する種々の処理を行う。また、この演算処理部３００には、操作パネル３０１が接続されており、この操作パネル３０１を通じて、ユーザによる指示や設定操作を受け付け、印刷開始後における後処理機能の追加を受け付ける。
【００３１】
＜演算処理部の機能モジュール＞
次いで、演算処理部３００の機能モジュールについて説明する。
【００３２】
図２は、本実施形態に係る画像形成装置１００が備える演算処理部の機能モジュールを示すブロック図である。なお、本実施形態中で用いられる「モジュール」とは、装置や機器等のハードウェア、或いはその機能を持ったソフトウェア、又はこれらの組み合わせ等によって構成され、所定の動作を達成するための機能単位を示す。
【００３３】
演算処理部３００には、図２に示すように、ジョブデータ受信部３１１と、画像処理部３１２と、操作信号取得部３１３と、記憶部３１５と、印刷制御部３１４と、通知部３１７が備えられている。
【００３４】
ジョブデータ受信部３１１は、一連の印刷処理単位であるジョブデータを受信し、受信したジョブデータに含まれるデータを画像処理部３１２に受け渡すモジュールである。具体的には、画像データを取り込む装置であるスキャナ、又は通信インターフェースを通じて接続されたパーソナルコンピュータ等から画像データを含むジョブデータが入力され、画像データを抽出して画像処理部３１２に送信するとともに、ジョブデータを印刷制御部３１４に送信する。
【００３５】
画像処理部３１２は、画像処理に特化したディジタル信号処理を行う演算処理装置であり、印刷に必要な画像データの変換等を行い、印刷を実行するモジュールである。この画像処理部３１２は、画像形成制御部３１２ｂと、色変換回路３１２ａとを有している。
【００３６】
画像形成制御部３１２ｂは、各色のインクヘッドの駆動を制御し、画像形成処理全体を制御するモジュールであり、ジョブデータ受信部３１１が受信したデータに基づいて、搬送経路内の給紙系搬送路ＦＲ、通常経路ＣＲ、排紙経路ＤＲ、反転経路ＳＲに設けられた各搬送ローラなどの搬送駆動手段の駆動を制御しつつ、インクジェットヘッド１１０ａを制御して、スケジューリングに従ったタイミング及び印字速度で画像形成を行う。一方、色変換回路３１２ａは、ＲＧＢ印刷画像をＣＭＹＫ印刷画像に変換する回路であり、各色についての印刷画像に基づいて、画像形成制御部３１２ｂに印刷を実行させる。
【００３７】
操作信号取得部３１３は、操作パネル３０１から、ユーザによる操作信号を受信するモジュールであり、受信した操作信号を解析し、ユーザ操作に応じた処理を他のモジュールに実行させる。特に、本実施形態において、操作信号取得部３１３が受け付ける「ユーザ操作」としては、操作パネル３０１上におけるユーザ操作の他、印刷済みの印刷媒体を給紙トレイに再セットする動作や、ユーザからの再開指示が含まれる。すなわち、この操作信号取得部３１３は、印刷処理開始後における後処理変更機能を実行するか否かの指示操作や設定操作の他、給紙トレイへの用紙の再セットを検知する検知信号を受け付け、後処理制御部３１４ｂに入力する機能、さらには、ユーザからの再開指示を受け付ける再開指示取得部としての機能を担っている。なお、操作信号取得部３１３は、通常の印刷設定に関する指示操作を受け付けるとともに、印刷処理停止に関する指示操作も受け付ける。
【００３８】
通知部３１７は、処理の終了やエラー発生などを報知するモジュールであり、操作パネル３０１のディスプレイを通じてメッセージを表示したり、ＬＥＤやランプなどを点灯させたり、音声やブザー等の音響を出力するなどの方式が挙げられる。特に、本実施形態では、後処理変更に関する通知として、完了判定部３１４ｃによる判定結果に基づく操作情報を出力し、後処理変更に際して、ユーザに種々のメッセージを報知して、用紙の再セットやユーザ設定の確認などを促す機能を果たしている。
【００３９】
ここで、本実施形態において、操作信号取得部３１３で受け付けられる「操作情報」には、完了判定部３１４ｃによる判定結果に基づき、ユーザに対して有効に画像が完了した用紙枚数やページ数、再セットすべき用紙枚数（ページ数）、廃棄すべき用紙枚数（ページ数）などが含まれる。
【００４０】
記憶部３１５は、印刷処理や後処理に必要な各種プログラムやパラメータを格納しておくＲＯＭ、作業領域として一時的にプログラムやデータを記憶するＲＡＭ、各種プログラムやパラメータを格納するために使用されるハードディスク等からなる。特に、本実施形態において記憶部３１５には、印刷処理停止の指示操作を受け付けた時点における、印刷処理が完了しているページ数を印刷済みページ数として一時的に記憶するようになっている。
【００４１】
印刷制御部３１４は、画像形成装置１００における印刷処理全般を制御するモジュールであり、後処理制御に関するモジュールとしてスケジューリング部３１４ａと、後処理制御部３１４ｂと、完了判定部３１４ｃとを備えている。
【００４２】
スケジューリング部３１４ａは、画像形成処理において、表面に印刷を行う用紙の給紙、及び反転経路を経て表裏が反転された用紙の再給紙、画像形成及び搬送に関する速度、順序及びタイミングを決定するモジュールである。そして、このスケジューリング部３１４ａによって決定されたスケジュールに基づいて、画像形成制御部３１２ｂは画像形成処理及び搬送動作を実行し、後処理制御部３１６は後処理動作を実行する。なお、スケジューリング部３１４ａは、操作信号取得部３１３から印刷停止の指示操作を取得すると、画像形成制御部３１２ｂを制御して、インクジェットヘッド１１０ａや搬送駆動手段の駆動を停止させたり、操作信号取得部３１３から印刷再開の指示操作を取得すると、画像形成制御部３１２ｂを制御して、インクジェットヘッド１１０ａや搬送駆動手段の駆動を再開させる。
【００４３】
後処理制御部３１４ｂは、画像が形成された用紙に対して、例えば、ソート処理、ステープル処理などを施す後処理装置の駆動手段を制御するとともに、後処理変更後に再開された印刷処理において画像処理部３１２における画像形成処理を制御するモジュールであり、ユーザからの再開指示を受け付けると、完了判定部３１４ｃによる判定結果に基づいて、各用紙について、印刷を実行するか否かを決定し、この決定にしたがって処理された後に前記後処理部に到達した印刷媒体に対して、操作信号取得部３１３が受け付けた操作信号に応じた後処理を後処理装置２００に実行させる。
【００４４】
完了判定部３１４ｃは、ユーザからの中断指示を受けると、複数の印刷媒体のうち、有効に画像形成が完了した印刷媒体を判定するモジュールであり、この完了判定部３１４ｃの判定結果に基づいて、後処理制御部３１４ｂは、後処理装置２００や画像形成制御部３１２ｂ、搬送駆動手段、ヘッドユニット１１０の動作を制御する。この完了判定部３１４ｃは、本実施形態では、ヘッドユニット１１０による画像形成結果を記憶する記憶部３１５と接続されており、記憶部３１５に記憶された画像形成結果に基づいて、有効に画像形成が完了した印刷媒体を判定する。具体的には、印刷ジョブの実行中に画像形成処理を随時監視し、有効に印刷が完了した用紙やページをカウントしており、印刷ジョブが中断された場合には、その中断された時点において有効に印刷が完了した用紙の枚数やページ数の他、搬送経路中に残留している用紙の枚数やページ数、画像形成状態を記憶部３１５に中断時情報として保存する。
【００４５】
ここで、本実施形態における「有効に画像形成が完了した印刷媒体」とは、再度の画像形成が不要な印刷媒体を意味し、片面印刷であるか両面印刷か、さらには画像形成装置が後処理変更後に搬送経路（スケジューリング）を変更する機能を有するか否かに応じて、片面のみの画像形成を有効とするか、両面の画像形成が完了されていることをもって有効とするかを適宜設定することができる。本実施形態では、画像形成装置１００が、搬送経路上に印刷媒体を複数枚同時に搬送し、反転経路ＳＲに印刷媒体を分岐させて反転させ、再度通常搬送路ＣＲ上の印刷媒体の列に、入れ子状に割り込ませるようなスケジューリングを行う機種である。そのため、両面印刷の途中で中断された場合には、画像形成処理のみを省略して中断されたときと同様のスケジューリングをそのまま行うのか、反転経路ＳＲへの分岐を省略して直接後処理装置２００へ搬送するようなスケジューリングに変更するのかによって、「有効に画像形成が完了した印刷媒体」の判定結果を切り替えるようにしている。
【００４６】
さらに本実施形態に係る完了判定部３１４ｃには、画像読取装置２０２が接続されており、この画像読取装置２０２によっても有効に画像形成が完了した印刷媒体を判定できるようになっている。すなわち、この画像読取装置２０２は、搬送経路におけるヘッドユニット１１０の上流側に配置されており、プラテンベルト１６０上を搬送される印刷媒体の画像形成に係る面の画像形成の有無を読み取り、この読み取り結果に基づいて、画像形成が完了した印刷媒体を判定することができるようになっている。
【００４７】
そして、後処理制御部３１４ｂは、ユーザによる印刷中断の指示操作を取得した際、印刷済みのページ数などを完了判定部３１４ｃから取得して、中断時情報として記憶部３１５に記憶させる。そして、後処理制御部３１４ｂは、後処理変更の指示操作を取得すると、記憶部３１５に記憶された中断時情報に基づいて、印刷が完了した用紙の枚数を有効枚数として算出し、算出した有効枚数の情報に基づいて、印刷処理を有効枚数分停止させた状態で用紙を搬送させるとともに、有効枚数分搬送した後には印刷処理を再開させる。この再開時における印刷に際し、後処理制御部３１４ｂは、有効に画像形成が完了したと完了判定部３１４ｃが判定した用紙については画像形成を行うことなく片面印刷時と同様の通紙を行わせる。
【００４８】
また、後処理制御部３１４ｂは、後処理制御部３１６に後処理の設定情報を送信して、搬送のみされた用紙及び印刷した用紙に後処理を実行させるように制御する。なお、有効枚数は、当該印刷ジョブの設定内容に応じて変動する。具体的に、片面印刷であれば印刷済みページ数と一致する。一方、両面印刷であれば、用紙の両面が印刷された印刷済みページ数（被除数）を除数である２で除算した際の商となる。なお、複数ページを１枚のページとする割り付け印刷については除数が変化する。
【００４９】
また、後処理制御部３１４ｂは、後処理追加の指示操作を取得した際、画像形成制御部３１２ｂを制御して、搬送経路内に収納されている用紙を搬送させて排紙台１５０に排紙させる機能も備えている。
【００５０】
（後処理変更機能の動作）
次に、画像形成装置の後処理変更機能の動作を説明する。
【００５１】
図３及び図４は、本実施形態に係る画像形成装置の後処理変更機能の動作を示すフローチャートである。なお、ここでは、初めに、通常の印刷処理が開始された後に、パンチ処理が設定される場合を例に説明する。
【００５２】
画像形成装置１００側では、先ず、印刷処理の要求があるまで待機しており（ステップＳ１０１）、ユーザが画像形成装置１００に対して、印刷処理の指示操作を行うと（Ｓ１０１；“ＹＥＳ”）、印刷処理を開始する（ステップＳ１０２）。具体的には、ユーザによって、必要な認証操作やジョブデータ投入操作があり、印刷処理開始の指示操作が入力されると、画像処理部３１２には、ジョブデータ中の画像データや印刷設定のパラメータが入力され、インクジェットヘッド１１０ａ及び搬送駆動手段が駆動制御されて印刷処理が実行される。なお、画像データを含むジョブデータは記憶部３１５に格納されたうえで、適宜処理される。
【００５３】
印刷処理が開始されると、操作信号取得部３１３では、印刷処理の中断指示があるか否かを判定し（ステップＳ１０３）、印刷処理の中断指示がない場合には（ステップＳ１０３；“ＮＯ”）、画像処理部３１２は印刷処理を続行する。
【００５４】
一方、例えば、一枚毎に排紙部に排出された印刷物を確認したユーザが、投入したジョブに対する後処理の設定を忘れたことに気が付き、後処理を希望したとする。このとき、ユーザが画像形成装置１００に対して、操作パネル３０１上のストップキーを押下するなど、印刷中断の指示操作を行うと（ステップＳ１０３；“ＹＥＳ”）、操作信号取得部３１３は、印刷中断の指示操作を印刷制御部３１４に入力する。
【００５５】
印刷制御部３１４は、印刷中断の指示操作を受け取ると、画像処理部３１２を制御して印刷処理を中断させ（ステップＳ１０４）、後処理制御部３１４ｂは、中断した印刷ジョブにおける印刷済みページ数を記憶部３１５に記憶させる（ステップＳ１０５）。
【００５６】
その後、演算処理部３００の通知部３１７は、操作パネル３０１上に、図５に示すような、アイコン３０１ａ〜３０１ｃを表示し、「中止」、「再開」という選択肢に加えて、「後処理変更」という選択が可能なモード選択画面を表示させる（ステップＳ１０６）。
【００５７】
そして、ユーザ操作によって「後処理変更」以外が選択された場合には（ステップＳ１０７；“ＮＯ”）、後処理追加処理は終了する。なお、「印刷再開」が選択された場合には、印刷済みページ数の次ページ目から印刷を開始させる。
【００５８】
一方、ステップＳ１０７において、ユーザ操作によって、「後処理変更」が選択された場合（“ＹＥＳ”）、追加・変更可能な後処理機能の選択画面を操作パネル３０１に提示し（ステップＳ１０８）、後処理の設定があるまで待機する（ステップＳ１０９；“ＮＯ”）。
【００５９】
そして、後処理の設定の入力を受け付けた場合には（ステップＳ１０９；“ＹＥＳ”）、後処理制御部３１４ｂは、追加された後処理のパラメータを記憶部３１５から抽出して、保持している実行中の印刷ジョブのパラメータに追加する。
【００６０】
また、後処理制御部３１４ｂは、画像形成制御部３１２ｂを制御して、搬送経路内に収納されている用紙を搬送させて排紙台１５０に排紙させるとともに（ステップＳ１１０）、操作パネル３０１上に排紙された全ての用紙を給紙トレイに再セットするように指示を表示する（ステップＳ１１１）。なお、この際、装置内に存在する用紙に対しては、すべて印刷設定通りの印刷処理を実行してから装置外へと排出させることが望ましい。すぐ中断させたいのであれば、印刷処理が未完成の印刷媒体については搬送して排紙トレイ１５０以外の箇所にまとめることが好ましい。例えば反転経路ＳＲにまとめることが挙げられる。
【００６１】
その後、図４に示すように、ユーザが排紙された用紙を給紙トレイに再セットした後に再開操作の指示を選択すると（ステップＳ２０１）、後処理制御部３１４ｂは、画像形成制御部３１２ｂに対して印刷操作の再開を指示する。このとき、有効に画像形成が完了したと判定された印刷媒体については画像形成を行うことなく片面印刷時と同様の通紙を行う。具体的には、画像形成制御部３１２ｂは、記憶部３１５に記憶された印刷済みページ数に基づいて、印刷が完了した枚数を有効枚数として算出し、有効枚数分の用紙に対しては、印刷処理（画像形成）処理を停止させた状態で用紙搬送処理のみ実行するとともに、片面印刷時と同様の搬送経路を搬送させる（ステップＳ２０２）。なお、有効枚数は、印刷処理の設定内容（片面印刷か、両面印刷かなど）に応じて変更する。
【００６２】
このとき、ユーザフレンドリーのため、画像読取装置２０２を使って、搬送される印刷媒体の画像読取装置２０２と対向する面を読み取り、この読み取り結果と記憶部３１５に格納されている該当ページの画像データとを印刷制御部３１４が比較することで、ユーザの再セットした印刷媒体の向きが正しかったか否かを判定するようにしても良い。
【００６３】
次に、後処理制御部３１４ｂは、印刷未完了のページに対して印刷処理を実行する際、印刷設定の内容に応じて搬送制御を変更する。具体的には、後処理制御部３１４ｂは、当該印刷ジョブが両面印刷モードであるか否かを判定する（ステップＳ２０３）。
【００６４】
ステップＳ２０３において、片面印刷モードであると判定された場合には（“ＮＯ”）、印刷処理が再開される再開ページから片面印刷を行いつつ、各用紙を後処理装置２００に搬送して、後処理装置２００において所定の後処理を実行する（ステップＳ２０４）。なお、ここでの再開ページとは有効枚数に１を加算したページとなる。
【００６５】
一方、ステップＳ２０３において、両面印刷モードであると判定された場合には（“ＹＥＳ”）、印刷を再開するページから両面印刷を行いつつ、各用紙を後処理装置２００に搬送して、後処理装置２００においてステープルの後処理を実行する（ステップＳ２０５）。なお、ここでの再開ページとは、有効枚数を２倍にした値に１を加算したページとなる。
【００６６】
また、ステップＳ２０４及びステップＳ２０５では、選択された後処理がパンチ処理であるため、印刷処理を行われるとともに即時に後処理が行われたが、例えば、後処理が製本処理やステープル処理などである場合には全ページ印刷完了後に纏めて後処理が実行される。
【００６７】
以上のように、本実施形態に係る画像形成装置１によれば、ユーザが後処理の設定を忘れたまま、印刷を開始してしまった場合や、印刷の実行過程で気が変わり、後処理を付けたくなった場合であっても、印刷処理を中断させ、その後、ジョブの中断で発生する印画済みの用紙を給紙トレイに再セットして後処理を設定することで、印刷済みの用紙には印刷処理が行われずに搬送のみされて後処理変更動作が実行され、また、印刷未完了の用紙に対しては印刷処理が行われつつ、後処理変更動作が実行される。
【００６８】
このように本実施形態によれば、印刷の実行過程で後処理を追加したい場合でも、全ての印刷完了を待つことなく、即時に後処理を追加させた処理を実行させることができるため、印刷物全体に要する時間が長時間化することを回避でき、生産性を向上させることができる。特に、本実施形態では、再開時における印刷に際し、後処理制御部３１４ｂが、有効に印刷が完了した用紙については印刷を行うことなく、片面印刷時と同様の搬送経路にて通紙を行わせるため、例えば、画像形成装置が所謂インターリーフ方式などのように複雑な搬送経路を備えている場合であっても、後処理の変更後に印刷を再開するときに既に印刷が完了している用紙については、片面印刷と同様の比較的単純な搬送経路上で画像形成を行うことなく速やかに通過させる。これにより、後処理を変更した後に印刷を再開する際の所要時間を短縮することができ、さらに生産性が向上される。
また、本実施形態によれば、後処理を設定した後、異なる後処理に変更する場合でも適用可能であるため、変更前の後処理によって破棄される印刷物の量を低減させることもできる。
【００６９】
さらに、本実施形態では、有効に画像形成が完了した印刷媒体に関する判定に際し、印刷済みページ数等を中断時情報として記憶部３１５に記憶しこれに基づいて判定を行うとともに、後処理を変更した後においても、画像読取装置２０２で搬送中の印刷媒体を読み取り、画像形成の有無によっても判定を行うようにしたため、両者の判定結果に基づいて、ユーザの誤操作によって、再セットされた用紙の順序などによって印刷済みの用紙に印字してしまい、不良品が発生することを防止できる。
（変更例）
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００７０】
例えば、上述した実施形態では、印刷済み有効枚数やページ数を中断時情報として記憶部３１５に記憶させ、これに基づいて有効に画像形成が完了した印刷媒体を判定したが、印刷済みページ数を記憶することなく、画像読取装置２０２のみを用いて搬送中の印刷媒体の画像を読み取り、画像形成処理の実行の要否を判定するようにしてもよい。
【００７１】
具体的には、上述のステップＳ１０５の処理を省略して、ステップＳ２０１における処理再開には、１ページ目から搬送される用紙の画像を読み取る。ここで、読み取った用紙上に画像が表示されている場合には印刷処理を行わず、後処理装置２００に用紙を搬送して後処理を実行する。一方、読み取った用紙上に画像が表示されていない場合には、その用紙から画像データの印刷処理を行い、その後、後処理装置２００に用紙を搬送して後処理を実行する。
【００７２】
この場合であっても、印刷済みのページまでは印刷処理を行わずに搬送処理のみを行い、印刷未完了のページから印刷処理を行って後処理が行われるので、印刷開始後に後処理の設定を忘れた場合であっても、全ての用紙に対する印刷完了を待つことなく、即時に後処理を追加させた処理を実行させることができる。そのため、印刷物全体に要する時間が長時間化することを回避でき、生産性を向上させることができる。
【００７３】
なお、この際、後処理制御部３１４ｂでは、読み取った画像と、印刷ジョブ中の画像データと比較して、再設置された用紙の画像と、画像データと一致するか否かを判定し、再設置された用紙の順番や向きが画像データと異なる場合にはエラー表示を行うこともできる。これにより、再セットされた用紙の順序又は向きの誤りを検出することができる。
【００７４】
また、例えば、上述した実施形態では、上述したようなユーザの意図によって印刷処理を中断した場合を例に説明したが、例えば、なんらかのエラーで印刷が強制的に中断され、再開する際に後処理を追加・変更する場合にも適用することができる。また、例えば、画像形成装置１００に投入した印刷ジョブが全て終了した後、後処理を追加する場合にも適用可能である。
【００７５】
また、上記実施例では後処理装置は排紙台１５０、すなわち排出直前に画像形成された面を下向きにして用紙を積載するフェイスダウントレイを有する排紙手段に接続されたものであるとして説明した。しかし、本発明は、排出直前に画像形成された面を上向きにして用紙を積載するフェイスアップトレイにおいても適用可能である。図６は、フェイスアップトレイを有する排紙経路ＦＵＲを備えた画像形成装置に本発明を適用した場合の、動作例を示す説明図である。
【００７６】
図６（ａ）に示すように、排紙経路ＦＵＲ側のフェイスアップトレイでは、最終頁（ページｎ）が最下面になるように用紙が積載される。このときの印刷順番は、ｎ，ｎ−１，ｎ−２…のように降順で処理がされる。このとき、上述したように、給紙系搬送路ＦＲおいては、サイド給紙トレイ１２０、給紙トレイ１３０（１３０ａ、１３０ｂ、１３０ｃ、１３０ｄ）のいずれかの給紙機構から給紙された印刷媒体が、通常搬送路ＣＲへ通紙される。
【００７７】
給紙トレイ１３０（１３０ａ、１３０ｂ、１３０ｃ、１３０ｄ）からレジスト部Ｒに至る給紙経路は、通常搬送路ＣＲにおける画像形成部であるヘッドユニット１１０よりも上流側に接続され、各給紙トレイ１３０（１３０ａ、１３０ｂ、１３０ｃ、１３０ｄ）上に積載された給紙に係る用紙を表裏反転させ、レジスト部Ｒを通じて給紙する。
【００７８】
そして、ジョブ処理開始後にユーザが後処理設定を追加、または変更したい場合に、ジョブ処理を中断する旨の指示を受けると、印刷制御部３１４はジョブ処理を一旦停止させる。なお、同図では、７ページ目が印刷された時点でジョブ処理が中断されている。次いで、ジョブの再開に際し、図６（ｂ）に示すように、フェイスアップトレイ上の用紙束をひっくり返して、すなわち用紙束の上面と下面の関係が逆となる状態でこの用紙束を、給紙経路ＦＲに接続された給紙トレイ１３０ａ〜ｄのいずれかに載置するよう操作パネル３０１を介してユーザに報知する。
【００７９】
ユーザによって、印刷処理済みの用紙が指定された給紙トレイ１３０ａ〜ｄのいずれかに再セットされ、後処理設定の追加、変更が終わり、再開指示がされると、印刷制御部３１４は、印刷処理済みの用紙が積載された給紙トレイ（１３０ａ〜ｄのうちのいずれか１つ）から給紙を開始する。再開後は、印刷制御部３１４は、図６（ｃ）に示すように、完了判定部３１４ｃで判定された枚数分の用紙に対して、給紙、反転経路ＳＲを使用しない搬送、排紙を繰り返すよう各ユニットを制御する。このとき、印刷制御部３１４は、インクジェットヘッド１１０ａによる画像形成処理を実行させない。図６（ｃ）では、再給紙時には、給紙トレイに積載された用紙束の最上位において上面となっていた最終ページｎが、給紙経路で反転され、反転経路ＳＲを使用せず直接フェイスアップトレイに通紙され、最下層の下面となって排紙される。
【００８０】
その後、フェイアップトレイ上に降順に積層され、給紙トレイに再セットされた用紙束の最下層において下面となっていた最終ページ７が、再給紙の際には、図６（ｃ）に示すように、給紙経路で反転されてフェイスアップトレイまで通紙され、最上位の上面となるように積層される。
【００８１】
さらに、印刷制御部３１４は、この完了判定部３１４ｃで判定された枚数分の用紙については、各用紙の間隔が画像形成装置１００にて許容できる最少の間隔となるようにして、各用紙の給紙、搬送を実行させる。搬送時に反転経路ＳＲが不要であるため、処理時間をできるだけ短くさせるためである。そして、判定された枚数分の用紙について上記の処理が終わると、印刷制御部３１４は、同サイズの用紙が収容された給紙トレイを使って通常の印刷処理を実行させる。
【００８２】
このように、フェイスアップ方式の搬送経路ＦＵＲを備えている場合に、印刷開始後に後処理の設定を変更しても、中断した箇所から画像形成を再開することができる。このとき、既に印刷が完了している印刷媒体の束を上下引っ繰り返して再給紙することで、既に画像形成が完了した印刷媒体に対する画像形成を実行せずに省略でき、さらには、反転経路ＳＲを使用しないことから、印刷物全体に要する時間が長時間化するのを回避して、生産性を向上させることができる。
【００８３】
さらに、図７は、フェイスアップトレイを有する排紙経路ＦＵＲを備えた画像形成装置に本発明を適用した場合の、他の動作例を示す説明図である。ここでは、既に印刷が完了した用紙を給紙トレイ１２０に再セットする場合を例に説明する。
【００８４】
図７（ａ）に示すように、排紙経路ＦＵＲ側のフェイスアップトレイでは、最終頁（ページｎ）が最下面になるように用紙が積載される。このときの印刷順番は、ｎ，ｎ−１，ｎ−２…のように降順で処理がされる。
【００８５】
本発明のようにジョブ処理開始後にユーザが後処理設定を追加、または変更したい場合に、ジョブ処理を中断する旨の指示を受けると、印刷制御部３１４はジョブ処理を一旦停止させる。なお、同図では、７ページ目が印刷された時点でジョブ処理が中断されている。そして、ジョブの再開に際し、図７（ｂ）に示すように、フェイスアップトレイ上の用紙束をひっくり返して、すなわち用紙束の上面と下面の関係が逆となる状態でこの用紙束を、給紙経路ＦＲに接続されたサイド給紙トレイ１２０に載置するよう操作パネル３０１を介してユーザに報知する。
【００８６】
ユーザによって、印刷処理済みの用紙が指定された給紙トレイに載置され、後処理設定の追加、変更が終わり、再開指示がされると、印刷制御部３１４は、印刷処理済みの用紙が積載されたサイド給紙トレイ１２０から給紙を開始する。
【００８７】
再開後は、印刷制御部３１４は、図７（ｃ）に示すように、完了判定部３１４ｃで判定された枚数分の用紙に対して、給紙、反転経路ＳＲを経由しての用紙反転、排紙を繰り返すよう各ユニットを制御する。このとき、印刷制御部３１４は、インクジェットヘッド１１０ａによる画像形成処理を実行させない。図７（ｃ）では、再給紙時には、給紙トレイに積載された用紙束の最上位において上面となっていた最終ページｎが、反転経路ＳＲで反転されてフェイスアップトレイ側では、最下層の下面となって排紙される。その後、フェイアップトレイ上に降順に積層され、給紙トレイに再セットされた用紙束の最下層において下面となっていた最終ページ７が、再給紙の際には、図７（ｃ）に示すように、反転経路ＳＲで反転されてフェイスアップトレイまで通紙され、最上位の上面となるように積層される。
【００８８】
そして、判定された枚数分の用紙について上記の処理が終わると、印刷制御部３１４は、同サイズの用紙が収容された給紙トレイを使って通常の印刷処理を実行させる。
【００８９】
このように、フェイスアップ方式の搬送経路ＦＵＲを備えている場合に、印刷開始後に後処理の設定を変更しても、中断した箇所から画像形成を再開することができる。このとき、既に印刷が完了している印刷媒体の束を上下引っ繰り返して再給紙することで、既に画像形成が完了した印刷媒体に対する画像形成を実行せずに省略でき、印刷物全体に要する時間が長時間化するのを回避して、生産性を向上させることができる。
【００９０】
このように、排紙トレイの積載方式（フェイスアップ、フェイスダウン）に依らずに本発明を適用することが可能となる。
【符号の説明】
【００９１】
ＣＲ…通常経路
ＤＲ…排紙経路
ＦＲ…給紙系搬送路
Ｒ…レジスト部
ＳＲ…反転経路
１００…画像形成装置
１１０…ヘッドユニット
１１０ａ…インクジェットヘッド
１２０…サイド給紙トレイ
１３０…給紙トレイ
１４０…排紙口
１５０…排紙台
１６０…プラテンベルト
１６１…従動ローラ
１６２…駆動ローラ
１７０,１７２…切替機構
２００…直接後処理装置
２０２…画像読取装置
３００…演算処理部
３０１…操作パネル
３０１ａ〜ｃ…アイコン
３１１…ジョブデータ受信部
３１２…画像処理部
３１２ａ…色変換回路
３１２ｂ…画像形成制御部
３１３…操作信号取得部
３１４…印刷制御部
３１４ａ…スケジューリング部
３１４ｂ…後処理制御部
３１４ｃ…完了判定部
３１５…記憶部
３１６…後処理制御部
３１７…通知部
【図１】
2016210033.tif 000003
【図２】
2016210033.tif 000004
【図３】
2016210033.tif 000005
【図４】
2016210033.tif 000006
【図５】
2016210033.tif 000007
【図６】
2016210033.tif 000008
【図７】
2016210033.tif 000009